(57)【要約】      （修正有）【課題】清潔な状態で薬液を循環使用することができる頭髪用の薬液循環装置を提供する。【解決手段】洗髪用の湯水を受けるボウル１２を有する洗髪台の排水口１３に挿入される薬液カップ２２と、薬液カップ２２に溜められる頭髪用の薬液を吸引して吐出する循環用ポンプ２１とを備える。薬液カップ２２は、排水口１３に嵌め合わされる嵌合部と、嵌合部の下方に設けられた貯溜部２８とを備える。嵌合部を排水口１３に嵌合させることにより、ボウル１２から流入する薬液を貯溜部２８に溜めて、循環用ポンプ２１で送って被洗髪者の頭部にシャワーヘッド２４から吐出するようにしたため、薬液は、不潔になりがちな排水筒１４に入ることなく、上記循環がなされ得る。【選択図】図２
0003175029.tif 000002
【実用新案登録請求の範囲】
【請求項１】
洗髪用の湯水を受けるボウルを有する洗髪台の排水口に挿入される薬液カップと、前記薬液カップに溜められる頭髪用の薬液を吸引して吐出する循環用ポンプとを備え、
前記薬液カップは、前記排水口に嵌め合わされる嵌合部と、前記嵌合部の下方に設けられた貯溜部とを備え、
前記嵌合部を前記排水口に嵌合させることにより、前記洗髪台から流入する前記薬液を前記貯溜部に溜めて、前記循環用ポンプで送って被洗髪者の頭部に吐出するようにしたことを特徴とする頭髪用の薬液循環装置。
【請求項２】
前記循環用ポンプに電源を供給する機器本体と、シャワーヘッドとを備え、
前記循環用ポンプと前記機器本体とが送液ホースによって接続され、
前記機器本体と前記シャワーヘッドとがシャワーホースによって接続され、
前記循環用ポンプに設けられた吸引口が、前記貯溜部に収納され得るものであり、
前記循環用ポンプは、前記吸引口から前記貯溜部に溜まった薬液を吸引して、前記送液ホース及び前記シャワーホースを介して、シャワーヘッドから吐出するものであることを特徴とする請求項１記載の薬液循環装置。
【請求項３】
前記機器本体は、保持部とフックとを備え、
前記保持部は、前記シャワーヘッドを取り外し可能に保持するヘッド保持部と、前記薬液カップを取り外し可能に保持するカップ保持部とを有するものであり、
前記フックは、前記機器本体から外方向に伸びる上方部と、前記上方部の先端側から下方に伸びる垂下部とを備え、
前記垂下部を前記ボウルの中に配置し、前記機器本体を前記ボウルの外側に配置して、前記洗髪台に前記機器本体を取り付けるものであることを特徴とする請求項２記載の薬液循環装置。
【請求項４】
前記カップ保持部は、前記機器本体の上面から凹まされた凹部であり、
前記薬液カップは、前記貯溜部から上方に伸ばされた把手部を備え、
前記把手部は、複数の縦部と、前記縦部の上端をつなぐ環状部とを、
前記ボウルの薬液は、縦部と縦部との間から貯溜部内に流入するものであり、
前記送液ホースは、前記環状部の上から前記貯溜部内に配置されるものであり、
前記カップ保持部に保持された前記薬液カップに、前記循環用ポンプを収めることができるものであることを特徴とする請求項３記載の薬液循環装置。
【請求項５】
前記機器本体に加温装置を備え、前記加温装置は、前記送液ホースから前記シャワーホースへ送られる前記薬液を加温するものであることを特徴とする請求項１〜４の何れかに記載の薬液循環装置。
【考案の詳細な説明】
【技術分野】
【０００１】
本考案は、頭髪用の薬液循環装置に関するものである。
【背景技術】
【０００２】
頭髪用の薬液循環装置として、特許文献１に示すものが知られている。この装置は、既存の洗髪台に着脱可能に設置できるものであり、毛髪処理用の洗髪用のボウルの排水路に嵌合する封水栓を下部に備え、上部に循環用ポンプを備えたものである。この装置は洗髪台に脱着可能に設置される。この洗髪台は、ボウルと、このボウルの下方に延設された排水筒とを備え、排水筒から排水管への排出口に封水栓を嵌合させる。洗髪台の排水筒内に溜まった薬液は、循環用ポンプによって吸い上げられて、シャワーノズルから吐出され、頭髪を処理した後、ボウルに戻って、循環使用される。
この装置は、上記のように洗髪台の排水筒に溜まった薬液を、循環用ポンプによって吸い上げて、循環使用する。
ところが、洗髪台の排水筒は、頭髪等の種々のゴミが溜まっており、清潔とは言えない。特に、ボウルについては、施術者も使用するたびに綺麗に清掃しているが、排水筒については、まれにしか清掃しない。
【先行技術文献】
【特許文献】
【０００３】
【特許文献１】登録実用新案第３１５１７１５号
【考案の概要】
【考案が解決しようとする課題】
【０００４】
本考案は、より清潔な状態で薬液を循環使用することができる頭髪用の薬液循環装置の提供を図ることを目的とする。
【課題を解決するための手段】
【０００５】
本考案は、洗髪用の湯水を受けるボウルを有する洗髪台の排水口に挿入される薬液カップと、前記薬液カップに溜められる頭髪用の薬液を吸引して吐出する循環用ポンプとを備え、前記薬液カップは、前記排水口に嵌め合わされる嵌合部と、前記嵌合部の下方に設けられた貯溜部とを備え、前記嵌合部を前記排水口に嵌合させることにより、前記洗髪台から流入する前記薬液を前記貯溜部に溜めて、前記循環用ポンプで送って被洗髪者の頭部に吐出するようにしたことを特徴とする頭髪用の薬液循環装置を提供する。
【０００６】
さらに、前記循環用ポンプに電源を供給する機器本体と、シャワーヘッドとを備えるものとして、前記循環用ポンプと前記機器本体とが送液ホースによって接続され、前記機器本体と前記シャワーヘッドとがシャワーホースによって接続され、前記循環用ポンプに設けられた吸引口が、前記貯溜部に収納され得るものであり、前記循環用ポンプに設けられた吸引口が、前記貯溜部に収納され得るものであり、前記循環用ポンプは、前記吸引口から貯溜部に溜まった薬液を吸引して、前記送液ホース及び前記シャワーホースを介して、シャワーヘッドから吐出するものとして実施できる。
【０００７】
また、前記機器本体は、保持部とフックとを備え、前記保持部は、前記シャワーヘッドを取り外し可能に保持するヘッド保持部と、前記薬液カップを取り外し可能に保持するカップ保持部とを有するものであり、前記フックは、前記機器本体から外方向に伸びる上方部と、前記上方部の先端側から下方に伸びる垂下部とを備え、前記垂下部を前記ボウルの中に配置し、前記機器本体を前記ボウルの外側に配置して、前記洗髪台に前記機器本体を取り付けるものとしてもよい。
【０００８】
また、前記カップ保持部は、前記機器本体の上面から凹まされた凹部であり、前記薬液カップは、前記貯溜部から上方に伸ばされた把手部を備え、前記把手部は、複数の縦部と、前記縦部の上端をつなぐ環状部とを、前記ボウルの薬液は、縦部と縦部との間から貯溜部内に流入するものであり、前記送液ホースは、前記環状部の上から前記貯溜部内に配置されるものであり、前記カップ保持部に保持された前記薬液カップに、前記循環用ポンプを収めることができるようにしてもよい。
【０００９】
さらに、前記機器本体に加温装置を備え、前記加温装置は、前記送液ホースから前記シャワーホースへ送られる前記薬液を加温するものとして実施することも好適である。
【考案の効果】
【００１０】
本考案の頭髪用の薬液循環装置にあっては、薬液カップに薬液が溜まるものであり、ボウルの排水筒には溜まらないため、より清潔な状態に薬液を維持でき、常に清潔な薬液によって、頭髪の処理を行うことができる。
【００１１】
前記機器本体に前記の保持部を設けることで、シャワーヘッドと薬液カップの置き場に困ることがない。そのため、通常の洗髪を行う際にも、これらが邪魔になることがない。特に、薬液カップ内に前記循環用ポンプを収めることで、前記機器本体に前記循環用ポンプも保持させることができるため、これらの収納場所に困ることがない。
【００１２】
また、前記フックを設けることで、洗髪台に機器本体を簡単に着脱することができる。前記機器本体に加温装置を設けることで、薬液は適度に加熱加温された状態で循環する。
【図面の簡単な説明】
【００１３】
【図１】本考案の実施の形態に係る薬液循環装置の使用状態を示す正面図である。
【図２】同薬液循環装置の使用状態を示す背面図である。
【図３】同薬液循環装置の斜視図である。
【図４】同薬液循環装置の側面図である。
【図５】同薬液循環装置の薬液カップの斜視図である。
【考案を実施するための形態】
【００１４】
以下、図面に基づき本考案の実施の形態を説明する。
この実施の形態に係る薬液循環装置は、美容室、理容室、エステ、育毛サロンなどに設置された洗髪台に着脱可能に設置して用いられる。
（洗髪台）
洗髪台は、通常のシャンプーの際に利用するものを用いればよく、この既設の洗髪台によって、毛髪や頭部に薬液による処理を行うことができる。具体的には、頭皮マッサージ施術や頭髪のトリートメント処理施術などで薬液を被施術者の頭部に塗布するのに、洗髪台とは別個の設備を必要とせず、既設の洗髪台をこれらの施術に用いることができるようにしたものであるが、上記の施術に限定して理解されるべきではなく、シャンプーと併用したりすることもできる。
【００１５】
図１は洗髪台の一例を示したもので、施術室に設置される洗髪台１１の上部に陶器製等のボウル１２が設けられている。図２に拡大して示すように、ボウル１２の底部には、排水路を備える。この排水路としては、ボウル１２の底部に排水口１３が開口し、この排水口１３の下方には排水筒１４が延設されている。排水筒１４の底部には排水管１５が接続されており、排水トラップ１６を経て下水などに通じている。
【００１６】
（薬液循環装置）
薬液循環装置は、循環用ポンプ２１と薬液カップ２２と機器本体２３とシャワーヘッド２４とを備える。これらは全て別体のものとして構成されている。
循環用ポンプ２１はいわゆる水中ポンプで、下部に吸引口２５を備え、上部には送液ホース２６が接続されており、吸引口２５から吸引された薬液は送液ホース２６に送られ、機器本体２３、シャワーホース２７を経て、シャワーヘッド２４から吐出される。
【００１７】
（薬液カップ）
薬液カップ２２は、排水筒１４に挿入して用いられ、ボウル１２内の薬液を集めて溜めるものである。
薬液カップ２２は、有底筒状の貯溜部２８と、貯溜部２８の上部外周に設けられた嵌合部２９と、貯溜部２８の上方に延びる把手部３０とを備える。
【００１８】
嵌合部２９は、テーパ部３１とＯリング３２とを備える。テーパ部３１は、貯溜部２８の径を、上方に向かうに従って、徐々に大きくした部分である。Ｏリング３２の外径は、テーパ部３１の最大径よりも大きく設定されており、この部分で排水口１３に嵌合する。従って、Ｏリング３２の外径は、排水口１３の内径と等しいか、これよりも僅かに大きく設定される。また、貯溜部２８の外径は、排水筒１４の内径よりも小さく設定されている。通常の洗髪台１１における排水筒１４の内径は、５８〜６５mm程度なので、この例では、貯溜部２８の外径を５９mm又は６０mmに設定している。
【００１９】
貯溜部２８の上端からは、把手部３０が延設されている。この例では、上方に延びる複数の縦部３３と、これらの上端をつなぐ環状部３４とを備える。Ｏリング３２でせき止められたボウル１２の薬液は、縦部３３と縦部３３との間の空間から、貯溜部２８内に溜められる。
【００２０】
（機器本体）
機器本体２３は、ボウル１２の外側に取り付けられるもので、機器本体２３内には、図示は略するが、加温部と制御基板などの制御部とを備える。加温部は、送液ホース２６からの薬液を適当な温度に加熱するヒータを備えるもので、加熱後の薬液はシャワーホース２７を介してシャワーヘッド２４に送られて吐出される。吐出された薬液は被施術者の頭部等に散布され、残余がボウル１２の薬液カップ２２の貯溜部２８に溜まって、循環用ポンプ２１の吸引口２５から吸引されて、循環を繰り返す。
【００２１】
制御基板は、循環用ポンプ２１の運転を制御するものであり、停止と運転、必要に応じて循環用ポンプ２１の電動機の回転数など出力の強弱を制御し、さらに、必要に応じて加温部の加熱の有無と温度を制御する。
【００２２】
機器本体２３の外部には、液晶パネルの表示部並びにスイッチ部を備えた操作部３５と電源スイッチ３６とを備える。表示部は、運転状況や、薬液の現在の温度や、薬液の設定温度などの運転に必要な情報を表示する。スイッチ部は、上記の制御に対して、指示を与える入力手段であり、電源スイッチ３６は全ての電源をオンオフする。なお、図示は省略するが、機器本体２３と循環用ポンプ２１とを繋ぐ電源コードなどは、送液ホース２６に沿わせて設けられている。また、機器本体２３への電源は、主電源コード３７を施術室の電源コンセントに接続して得るようになっている。
【００２３】
機器本体２３には、保持部が設けられている。この保持部は、ヘッド保持部４１とカップ保持部４２とからなる。ヘッド保持部４１はシャワーヘッド２４係止するもので、機器本体２３の側部に設けられている。カップ保持部４２は、薬液カップ２２を収納する凹部であり、機器本体２３の上面に開口しており、排水口１３から外した薬液カップ２２を、カップ保持部４２内に入れて保持できる。このカップ保持部４２に薬液カップ２２を収納保持させた状態で、把手部３０はカップ保持部４２から上方に突出している。循環用ポンプ２１は、この薬液カップ２２内に収めることができるため、薬液カップ２２を介してカップ保持部４２に保持されることになる。
【００２４】
機器本体２３の背面にはフック３８が設けられている。このフック３８は、機器本体２３から外方向に伸びる上方部３９と、上方部３９の先端側から下方に伸びる垂下部４０とを備える。垂下部４０と機器本体２３との間の間隔は、ボウル１２の壁面の厚み程度の間隔を有するものであり、垂下部４０をボウル１２の中に配置し、機器本体２３をボウル１２の外側に配置する。これより、機器本体２３はボウル１２に着脱可能に取り付けられる。なお、機器本体２３はボウル１２以外に、ボウル１２を支持する洗髪台の脚部や理美容室内の棚などに配置するようにしてもよい。
【００２５】
（使用方法）
まず、排水筒１４に薬液カップ２２を挿入し、嵌合部２９によって排水口１３を閉じる。
次に、この薬液カップ２２内に循環用ポンプ２１を挿入する。その際、送液ホース２６は環状部３４の上部から挿入されるため、前述の縦部３３と縦部３３との間の空間が塞がることがなく、薬液は、円滑に上記空間から貯溜部２８内に流れ込む状態を維持できる。また、環状部３４によって高さをかせぐことができるため、循環用ポンプ２１は安定して薬液カップ２２内に保持され得る。
【００２６】
次に、使用する薬液をボウル１２に流し込むと、その薬液は薬液カップ２２の貯溜部２８に溜まる。十分な量が溜まると、機器本体２３の電源スイッチ３６と操作部３５とを操作して、循環用ポンプ２１を作動させて、シャワーヘッド２４から薬液を吐出させる。このとき、貯溜部２８の容量は排水筒１４の容量よりも小さいため、貯溜部２８に溜まる薬液の液面は、循環用ポンプ２１の吸引口２５より直ぐに高くなる。そのため、通常の施術に用いる程度の薬液を注ぐだけで、エア噛み等を生じることなく、素早くシャワーヘッド２４から薬液を吐出できる。吐出後にボウル１２に戻った薬液は貯溜部２８に溜まり、循環する。このように、ボウル１２からの薬液は、排水筒１４に流れ込むことなく、薬液カップ２２の貯溜部２８に流れ込み溜められるため、清潔な状態を維持できる。
【００２７】
本考案は、上記の実施の形態の他、請求項の記載の範囲内で適宜変更して実施することができる。例えば、循環用ポンプを機器本体２３内に設けて、送液ホース２６の先端に吸入口のみを設けるようにしてもよい。機器本体２３はボウル１２に取り付けるものの他、施術室の棚などの別個の場所に設けるようにして実施することもできる。
【符号の説明】
【００２８】
１１  洗髪台
１２  ボウル
１３  排水口
１４  排水筒
１５  排水管
１６  排水トラップ
２１  循環用ポンプ
２２  薬液カップ
２３  機器本体
２４  シャワーヘッド
２５  吸引口
２６  送液ホース
２７  シャワーホース
２８  貯溜部
２９  嵌合部
３０  把手部
３１  テーパ部
３２  Ｏリング
３３  縦部
３４  環状部
３５  操作部
３６  電源スイッチ
３７  主電源コード
３８  フック
３９  上方部
４０  垂下部
４１  ヘッド保持部
４２  カップ保持部
【図１】
0003175029.tif 000003
【図２】
0003175029.tif 000004
【図３】
0003175029.tif 000005
【図４】
0003175029.tif 000006
【図５】
0003175029.tif 000007